(57)【要約】【課題】冷却効率を向上させたラック装置、ラックシステム及び筐体構造を提供する。【解決手段】筐体１には、電子機器および空調機２が搭載される。仕切板１０は、筐体１内の空間を、電子機器が配置される上部空間１３と空調機２が配置される下部空間１４とに仕切る。遮蔽板１１は、下部空間１４を、空調機２の排気口２１が配置され、上部空間１３における電子機器の吸気側に繋がる空間と、空調機２の吸気口２２が配置され、上部空間１３における電子機器の排気側に繋がる空間とに区分けする。【選択図】図４
2013228823.tif 000002
【特許請求の範囲】
【請求項１】
電子機器および空調機が搭載される筐体と、
前記筐体内の空間を、前記電子機器が配置される第１の空間と前記空調機が配置される第２の空間とに仕切る仕切板と、
前記２の空間を、前記空調機の排気口が配置され、前記第１の空間における前記電子機器の吸気側に繋がる空間と、前記空調機の吸気口が配置され、前記第１の空間における前記電子機器の排気側に繋がる空間とに区分けする遮蔽部材と
を備えたことを特徴とするラック装置。
【請求項２】
前記遮蔽部材は、前記第２の空間側に前記仕切板から前記空調機方向に延出し且つ前記筐体の幅方向に長さを有する板状部材であり、幅方向の辺が前記空調機に接していることを特徴とする請求項１に記載のラック装置。
【請求項３】
前記遮蔽部材は、前記排気口から前記仕切板の方向に延びる前記空調機の側面に沿って、前記排気口近傍まで延出していることを特徴とする請求項２に記載のラック装置。
【請求項４】
前記仕切板は、前記電子機器を前記筐体に搭載した場合の、前記電子機器の吸気側の端部近傍及び前記電子機器の排気側の端部近傍に開口部を有していることを特徴とする請求項１〜３のいずれか一つに記載のラック装置。
【請求項５】
前記仕切板は、前記電子機器の吸気側の端部近傍の開口部が前記電子機器の排気側の端部近傍の開口部よりも小さいことを特徴とする請求項４に記載のラック装置。
【請求項６】
機器が搭載される筐体と、
前記筐体内の空間を、電子機器を配置する第１の空間と、他の第２の空間とに仕切る仕切板と、
前記第２の空間に配置される空調機と、
前記２の空間を、前記空調機の排気口が配置され、前記第１の空間における前記電子機器の吸気側に繋がる空間と、前記空調機の吸気口が配置され、前記第１の空間における前記電子機器の排気側に繋がる空間とに区分けする遮蔽部材と
前記空調機の異常を検出する異常検出部と、
前記異常検出部が異常と判定した場合に、異常を通知する異常通知部と
を備えたことを特徴とするラックシステム。
【請求項７】
機器が搭載される筐体と、
前記筐体内の空間を、電子機器が配置される第１の空間と空調機が配置される第２の空間とに仕切る仕切板と、
前記２の空間を、前記空調機の排気口が配置され、前記第１の空間における前記電子機器の吸気側に繋がる空間と、前記空調機の吸気口が配置され、前記第１の空間における前記電子機器の排気側に繋がる空間とに区分けする遮蔽部材と
を備えたことを特徴とする筐体構造。
【発明の詳細な説明】
【技術分野】
【０００１】
本発明は、ラック装置、ラックシステム及び筐体構造に関する。
【背景技術】
【０００２】
電子機器を搭載するラック装置では、電子機器が発する熱でラック装置内部の温度が上昇してしまう。ラック装置内部の温度が上昇した場合、電子機器の動作が不安定になるおそれがある。そこで、ラック装置の内部の空気を冷却することが行われている。
【０００３】
近年、ラック装置内部の冷却のために、空調機能を備えたラック装置が開発されている。このようなラック装置では、ラック装置に搭載された空調機能により、ラック装置の内部温度が安定化し、搭載された電子機器の動作が安定化する。
【０００４】
このような空調機器を備えたラック装置として、ラック装置下部にクーラーを配置し、空気を循環させ電子機器を冷却する従来技術がある。
【先行技術文献】
【非特許文献】
【０００５】
【非特許文献１】カワムラｗｅｂカタログ「クーラック」、[online]、２０１１年、河村電器産業株式会社、[平成２４年４月２４日検索]、インターネット＜ＵＲＬ：http://www.kawamura.co.jp/catalog/index05.php?topic=index08.html|%83%89%83b%83N|%94M%91%CE%8D%F4%83%89%83b%83N&category=TYPE-SCR＞
【発明の概要】
【発明が解決しようとする課題】
【０００６】
しかしながら、ラック装置の設置場所にはスペースの制限があることが多い。特に学校や企業などのオフィスにラックを配置する場合、ラック装置を配置するスペースの制限はより厳しくなる。そこで、ラック装置をコンパクトにすることで、ラック装置が占有するスペースを小さくし、オフィスのスペースを有効利用することが好ましい。そのため、空調機能を搭載したラック装置においても、いっそうの小型化が好ましい。また、ラック装置を小型化することで製造コストを抑えることもできる。
【０００７】
ところが、ラック装置に空調機能を搭載する場合、ラック装置は、筐体内に電子機器を搭載する場所の他に、空調機器を搭載する場所を有する。そこで、ラック装置を小型化するためには、ラック装置内部に搭載する空調機器としてコンパクトな空調機器を使用することになる。しかし、コンパクトな空調機器では、空調機器自体に余分な熱を逃がすスペースが乏しい。そのため、コンパクトな空調機器を隙間なくラックに搭載させた場合、空調機器自体の熱がラックに搭載された電子機器の装置に影響を与えるおそれがある。そのため、コンパクトな空調機器をラックに搭載するには、空調機器の周りにスペースを設けることになる。
【０００８】
空調機器の周りにスペースを設けた場合、従来技術などを用いた場合、空調機器の排気口と吸気口が同じ空間に存在することになり、暖められた空気と冷めた空気との混合などが発生してしまい、冷却効率が悪くなってしまうおそれがある。
【０００９】
開示の技術は、上記に鑑みてなされたものであって、冷却効率を向上させたラック装置、ラックシステム及び筐体構造を提供することを目的とする。
【課題を解決するための手段】
【００１０】
本願の開示するラック装置、ラックシステム及び筐体構造は、筐体は、電子機器および空調機が搭載される。仕切板は、前記筐体内の空間を、前記電子機器が配置される第１の空間と前記空調機が配置される第２の空間とに仕切る。遮蔽部材は、前記２の空間を、前記空調機の排気口が配置され、前記第１の空間における前記電子機器の吸気側に繋がる空間と、前記空調機の吸気口が配置され、前記第１の空間における前記電子機器の排気側に繋がる空間とに区分けする。
【発明の効果】
【００１１】
本願の開示するラック装置、ラックシステム及び筐体構造の一つの態様によれば、冷却効率を向上させるという効果を奏する。
【図面の簡単な説明】
【００１２】
【図１】図１は、実施例に係るラック装置の透視斜視図である。
【図２】図２は、仕切板の概要を表す平面図である。
【図３】図３は、実施例に係るラック装置の正面図である。
【図４】図４は、実施例に係るラック装置の側面断面図である。
【図５】図５は、下部空間の部分を拡大した側面断面図である。
【図６】図６は、図５のＢ−Ｂ断面矢視図である。
【図７】図７は、図４のＡ−Ａ断面矢視図である。
【図８】図８は、実施例に係るラック装置における全体的な空気の流れを説明するための図である。
【図９】図９は、実施例に係るラック装置におけるコールドエリアとホットエリアを表す図である。
【図１０】図１０は、異常ランプと運転ランプ接続を表す概略図である。
【発明を実施するための形態】
【００１３】
以下に、本願の開示するラック装置、ラックシステム及び筐体構造の実施例を図面に基づいて詳細に説明する。なお、以下の実施例により本願の開示するラック装置、ラックシステム及び筐体構造が限定されるものではない。
【実施例１】
【００１４】
図１は、実施例に係るラック装置の透視斜視図である。図１に示すように、筐体１は、ＸＹ平面、ＹＺ平面及びＸＺ平面を有する直方体である。そして、筐体１は、ＸＹ平面が地面に接する、または、筐体１のＸＹ平面に取り付けられた移動用部品（例えばキャスターやストッパー等）が地面に接する状態で配置されている。以下では、Ｘ方向を筐体１の幅方向、Ｙ方向を筐体１の奥行き方向、Ｚ方向を筐体１の高さ方向という。また、図１のＺ矢印が向かう方向を上方向、Ｚ矢印と逆向きの方向を下方向という。また、Ｙ矢印が向かう方向を後ろとし、Ｙ矢印と逆向きの方向を前とする。そして、筐体１の前側を筐体１の正面とする。また、Ｘ矢印の向かう方向を右、Ｘ矢印と逆向きの方向を左とする。
【００１５】
図１に示すように、筐体１は、仕切板１０で上部空間１３と、下部空間１４に分けられている。筐体１の上部空間１３には、電子機器３が搭載されている。電子機器３とは、例えば、サーバやネットワーク機器などである。また、筐体１の下部空間１４には空調機２の室内機が搭載されている。ここで、本実施例の空調機２は、室内機と室外機に分かれている。室内機はラック装置の筐体１に搭載され、室外機はラック装置が設置されたオフィスの外に置かれている。以下の説明では、空調機２の室内機を、空調機２と呼ぶ場合がある。また、空調機２は上部に吸気口２２を有し、前方下部に排気口２１を有している。上部空間１３が、「第１の空間」の一例にあたる。また、下部空間１４が、「第２の空間」の一例にあたる。
【００１６】
さらに、仕切板１０から空調機２に向けて遮蔽板１１が配置されている。遮蔽板１１は、筐体１の両側面に接し、且つ空調機２に接することで、後述するように、空調機２の吸気口が配置された空間と排気口が配置された空間とを分けている。さらに、筐体１の上部空間１３における電子機器３が搭載される部分の正面側には、左右にサイド仕切板１２が配置されている。
【００１７】
電子機器３は、筐体１の正面から奥行き方向に向かって挿入され配置される。そして、電子機器３は、筐体１の内部の正面側から空気を吸気し、ＣＰＵ（Central  Processing  Unit）などの内部に配置された各種発熱部材を吸気した空気で冷やす。そして、電子機器３は、暖められた空気を筐体１の内部の後ろ側に排気する。
【００１８】
また、ラック装置は、筐体１の周囲にドアなどの外壁が設けられ、内部が密閉された状態となっている。内部が密閉されているため、後述する空調機２から排出される冷たい空気や電子機器３から排出される暖かい空気はラック装置外に漏れることなく循環する。これにより、ラック装置外部へ暖かい空気が漏れることによるオフィスの温度上昇を抑えることができ、また冷却された空気による冷却効率を向上させることができる。また、筐体１外部の埃などが入り込むことを防止することが可能になる。
【００１９】
図２は、仕切板の概要を表す平面図である。仕切板１０は、筐体１の後方に排気開口１０１を有している。さらに、仕切板１０は、排気開口１０１の前に排気開口１０２を有している。また、仕切板１０は、筐体１の前方に吸気開口１０３を有している。ここで、排気開口１０１、排気開口１０２及び吸気開口１０３における排気及び吸気とは電子機器３を基準とした名前であり、排気とは電子機器３が暖かい空気を排出することを表し、吸気とは電子機器３が冷たい空気を吸気することを表している。すなわち、電子機器３の後方から排気された空気は、排気開口１０１を通過して筐体１の下部空間１４に送られる。さらに、電子機器３の中央部の熱で暖められた空気は、排気開口１０２を通過して筐体１の下部空間１４に送られる。また、筐体１の下部空間１４の空気は、吸気開口１０３を通過して上部空間１３に送られ、電子機器３に吸気される。
【００２０】
本実施例では、吸気開口１０３は、排気開口１０１よりも小さい開口を有している。また、排気用の開口部は、排気開口１０１及び排気開口１０２があるが、吸気用の開口部は、吸気開口１０３のみであり、吸気用の開口部全体としてみても、排気用の開口部の方が、吸気用の開口部よりも大きい。吸気開口１０３を小さくすることにより、下部空間１４の吸気開口１０３側の圧力を高くすることができ、吸気開口１０３から上部空間１３へ噴出す空気の風速を上げることができ、風量を増やすことができる。ここで、筐体１の中の一番上に搭載された電子機器３まで冷たい空気が届くことが好ましい。また、搭載されている全ての電子機器３に冷たい空気がいきわたる風量があることが好ましい。このため、吸気開口１０３の大きさは、例えば、風速と風量の関係を基に筐体１のサイズなどに応じて決定されることが好ましい。
【００２１】
また、ネットワーク機器は、サーバやストレージなどに比べて短い。そのため、ネットワーク機器の排気は、排気開口１０２の位置で排気される。そのため、ネットワーク機器を仕切板１０の直ぐ上の上部空間１３に搭載した場合やネットワーク機器のみを上部空間１３に搭載した場合に、排気開口１０２から暖かい空気が下部空間１４へ送られ、冷却効率を向上させることができる。
【００２２】
図３は、実施例に係るラック装置の正面図である。本実施例では、１２（Ｕ）のラックを例に説明する。図３は、上部空間１３に電子機器３が搭載されていない状態を表している。例えば、上部空間１３は、高さ５６５ｍｍである。また、例えば、下部空間１４は、高さ３９５ｍｍである。また、図３では、ストッパー１６及びキャスター１７が地面に接して筐体１を固定している。
【００２３】
上部空間１３には、正面からみて左右にサイド仕切板１２が配置されている。サイド仕切板１２は、筐体１の左右の側面から電子機器３を固定する柱の位置まで延びており、電子機器３の吸気側の空間と排気側の空間とを区分けする。サイド仕切板１２は、電子機器３で発生した熱により暖められた空気が電子機器３の吸気側に回らないように、暖められた空気の移動を遮蔽している。電子機器３を固定する柱の間の間隔は、例えば、４５１ｍｍである。
【００２４】
また、サイド仕切板１２は、熱戻り防止パネル１２１を有している。熱戻り防止パネル１２１は複数の切り込みを備えた、弾力性を有する部材である。電子機器３の前面に接続されたケーブル類は、熱戻り防止パネル１２１の切り込みを通過して背面に回される。熱戻り防止パネル１２１は、例えば、筐体１の正面から見て３５ｍｍ×１５０ｍｍの長方形をしている。サイド仕切板１２の内側には、電子機器を固定するマウントアングル１５が設けられている。マウントアングル１５には、電子機器を適当な位置で固定するための穴が縦方向に並んでいる。
【００２５】
図３では、下部空間１４の中に、遮蔽板１１及び空調機２の排気口が見えている。遮蔽板１１は、空調機２の前面に延び、遮蔽板１１の下側に空調機２の排気口の部分が出ている。また、遮蔽板１１は、後述するように前面に向かって持ち上げることが可能である。
【００２６】
図４は、実施例に係るラック装置の側面断面図である。また、図５は、下部空間の部分を拡大した側面断面図である。
【００２７】
図４及び図５に示すように、空調機２は、下部空間１４の後方に配置されている。空調機２は、例えば、家庭用のエアコンの室内機などを用いてもよい。本実施例では、空調機２は、図５に示すように、前方下部に排気口２１を有し、上部に吸気口２２を有している。そして、空調機２は、吸気口２２から吸入した空気を冷し、排気口２１から冷した空気を排出する。排気口２１からの冷たい空気の排気方向は、吸気開口１０３から送り出される風量が大きくなるように適宜設定されることが好ましい。
【００２８】
また、本実施例の空調機２は、空調機２の上部にも空間を有している。これは、空調機２の上部に設けられた吸気口２２から空気を吸い込むことや、空調機２の熱を逃がすなどの理由からである。さらに、本実施例では、空調機２の下部にも空間を有している。ただし、空調機２は、筐体１の底面に接触させて配置してもよい。この場合、空調機２の排気方向は筐体１の底面に向かう方向でないことが好ましい。
【００２９】
図５では図示していないが、空調機２からドレンホースが外部に延びている。空調機２は、主に運転開始時に水分が発生する。ドレンホースは、空調機２で発生した水分を排水溝へ排出する。図６は、図５のＢ−Ｂ断面矢視図である。例えば、空調機２から出るドレンホース２３は、筐体１の底面後方から外部の排水溝へ出される。また、空調機２から延びる冷媒配管４１、４２は、筐体１の底面後方から外部に出され、室外機４に繋がれる。
【００３０】
ここで、本実施例では、空調機２を下部空間１４に配置している。これにより、電子機器３を上部空間１３に配置することができ、電子機器３のメンテナンスを容易に行える。また、空調機２で発生した水分による水漏れが万一起きた場合でも、水漏による電子機器３への影響を軽減することができる。
【００３１】
遮蔽板１１は、仕切板１０から下方向に延出し、空調機２の前面部分に接触するように配置されている。さらに、遮蔽板１１は、図４の点線１１１で示す状態の位置まで、筐体１の幅方向を軸に回動する。遮蔽板１１は、点線１１１の状態で固定される。例えば、遮蔽板１１の先端に嵌合部材を設け、且つ仕切板１０の遮蔽版１１の先端が接触する位置に遮蔽板１１の嵌合部材の組になる嵌合部材を設けることで、遮蔽板１１を嵌合部材により固定することができる。また、遮蔽板１１の先端に磁石を配置し、且つ遮蔽板１１の先端部が接触する場所に磁石を配置して、遮蔽板１１が点線１１１の位置まで回動することで磁力により固定することができる。このように、遮蔽板１１を回動させることで、空調機２への筐体１の前面方向からのアクセスを容易にしている。例えば、本実施例では、遮蔽板１１を回動させることで、空調機２の前面の蓋を開けることができ、内部の掃除を容易に行うことができる。
【００３２】
遮蔽板１１は、空調機２の排気口２１から排気される冷たい空気が溜まる空間と、空調機２の吸気口２２から吸気される電子機器３が排出した暖かい空気が溜まる空間とを分けている。このように遮蔽板１１を設けることで、空調機２の周りにスペースを設けて筐体１の内部に配置した場合でも、暖かい空気と冷たい空気とを分離でき、冷却効率を向上させることができる。
【００３３】
ここで、遮蔽板１１は、図５に示すように、空調機２の排気口２１から仕切板１０に向かって延びるラック装置の前後の面に平行な壁に沿って排気口２１の付近まで延びている。さらに、本実施例では、遮蔽板１１の空調機２に接する面にはスポンジなどの緩衝材１１２が配置されている。緩衝材１１２が遮蔽板１１と空調機２によって挟まれることで、遮蔽板１１と空調機２との隙間を通過する空気量を減少させることができ、単に遮蔽板１１を空調機２に接する状態で配置した場合に比べて、吸気口２２の付近の暖かい空気と排気口２１付近の冷たい空気とをより確実に遮蔽することができる。また、緩衝材１１２を介して遮蔽板１１が空調機２に接することで、空調機２の動作によるがたつきを抑えることができる。
【００３４】
図７は、図４のＡ−Ａ断面矢視図である。図４及び図７に示すように、吸気開口１０３は、筐体１の前方に設けられている。すなわち、吸気開口１０３は、仕切板１０、遮蔽板１１、空調機２及び筐体１で囲われた、排気口２１から排出された冷たい空気が溜まる空間の空気の逃げ道となっている。例えば、吸気開口１０３は、幅６８０ｍｍ、奥行き９５ｍｍの長方形の開口を有している。
【００３５】
排気開口１０１は、筐体１の後方に設けられている。さらに、排気開口１０２は、排気開口１０１の前方で遮蔽板１１の位置よりも後方の位置に設けられている。すなわち、排気開口１０１及び排気開口１０２は、仕切板１０、遮蔽板１１、空調機２及び筐体１で囲われた、電子機器３から排出された暖かい空気が溜まる空間への空気の侵入口となっている。例えば、排気開口１０２は、幅４４０ｍｍ、奥行き２８０ｍｍの長方形の開口を有している。
【００３６】
次に、図８を参照して、実施例に係るラックにおける全体的な空気の流れについて説明する。図８は、実施例に係るラック装置における全体的な空気の流れを説明するための図である。内部がドットパターンで表される矢印Ｐは電子機器３からの排気を表し、内部が斜線パターンで表される矢印Ｑは電子機器３による吸気を表している。
【００３７】
電子機器３から排気された暖かい空気は、排気開口１０１及び排気開口１０２を通過して、上部空間１３から下部空間１４に送られる。下部空間１４に送られた暖かい空気は、吸気口２２から空調機２に吸い込まれる。そして、空調機２は、吸い込んだ空気を冷し、排気口２１から排出する。排気口２１から排出された冷たい空気は、吸気開口１０３を通過して下部空間１４から上部空間１３に送られる。そして、上部空間１３に送られた冷たい空気は、電子機器３に吸い込まれる。
【００３８】
さらに、図９を参照して、実施例に係るラック装置における、冷たい空気が溜まるコールドエリアと、暖かい空気が溜まるホットエリアについて説明する。図９は、実施例に係るラック装置におけるコールドエリアとホットエリアを表す図である。本実施例に係るラック装置では、電子機器３自体、電子機器３が搭載されていない棚については電子機器３の正面に沿った位置に貼られた遮蔽版、サイド仕切板１２および遮蔽板１１とで区切られるコールドエリア４０１とホットエリア４０２とに分けられる。コールドエリア４０１は、左下に向かう斜線で表される領域である。また、ホットエリア４０２は、右下に向かう斜線で表される領域である。上述したように、サイド仕切板１２は、電子機器３が吸入する冷たい空気と電子機器３により暖められた空気とが混合しないように空間を区分けする。また、遮蔽板１１は、空調機２が吸入する暖かい空気と空調機２が排出する冷たい空気とが混合しないように空間を区分けする。このため、コールドエリア４０１の空気とホットエリア４０２との空気は混合しない。これにより、空調機２によるラック装置内の空気の冷却効率を向上させることができる。
【００３９】
なお、上部空間１３において電子機器３が設置されていない棚部分には、筐体１の正面側に遮蔽板を取り付けられる。この構成にすることで、電子機器３が設置されていない棚部分は筐体１内部の前後空間の移動する空気の量を低減することが可能になる。また、遮蔽板は、筐体１に設置される電子機器３の前正面に沿って取り付けられることが望ましい。これにより、電子機器３自体が発する熱をホットエリアに位置させることができる。
【００４０】
本実施例の筐体１は、サイド仕切板１２の面と電子機器３の正面とは奥行き方向の位置が同じであるものとする。
【００４１】
さらに、図８に記載するように、本実施例に係る空調機２の室内機は、冷媒配管４１及び冷媒配管４２により筐体１の外部に配置された室外機に接続されている。ここでは、空調機２の室外機を、室外機４として説明する。冷媒配管４１及び冷媒配管４２は、例えば銅製である。本実施例では、室外機４は、オフィスの外に配置されている。そして、室外機４は、低圧気体を高圧気体に変換する圧縮機と高圧液体に変換する凝縮機が、空調機2では高圧液体を低圧液体に変換する膨張機と低圧気体に変換する蒸発機が冷媒配管４１及び４２でつながり、冷媒サイクルを構成する仕組みとなっている。室外機４の凝縮機では冷媒を気体から液体に変換時に放熱し、外に排出され、空調機2の蒸発機では冷媒を液体から気体に変換するときに室内空気の熱を奪い空気を冷却する仕組みとなっている。
【００４２】
さらに、図３に戻ってラック装置の他の機能について説明する。ここでは、空調機２を室外機と室内機に分けて説明する。筐体１には、運転ランプ３０１と異常ランプ３０２とが設けられている。運転ランプ３０１は、空調機２の室内機が稼動している状態で点灯する。異常ランプ３０２は、空調機２の室内機又は室外機に異常が発生した場合に点灯する。異常とは、空調機２の室内機又は室外機が、通信、サーミスタ、制御部、ファンモータ、冷凍サイクルなどの異常が発生したと判定した場合である。
【００４３】
ここで、図１０を参照して、異常ランプ３０２の詳細を説明する。図１０は、異常ランプと運転ランプ接続を表す概略図である。図１０では、空調機２の室内機及び室外機を、それぞれ室内機２０１及び室外機２０２として表している。異常ランプ３０２は、空調機２の室内機２０１と異常時出力用ケーブル２０３で接続されている。また、室外機２０２は、室内機２０１と接続されている。そして、室内機２０１は、上述した各異常を検出した場合、異常時出力用ケーブル２０３に電流を流す。これにより、異常ランプ３０２が点灯する。また、室内機２０１のコンセント２０４を差し込むことで、運転ランプ３０３が点灯する。
【００４４】
また、温度異常を検知するため、温度センサをラック装置内部に取り付けることが好ましい。例えば、図４の温度センサ３０４のように、空調機２の室内機の吸気口の付近に取り付けてもよい。
【００４５】
以上に説明したように、本実施例に係るラック装置は、空調機の室内機の排気口が存在する空間と吸気口が存在する空間とを遮蔽板で区分けしている。このように遮蔽板を配置することで、コンパクトな空調機の室内機の周りにスペースを設けた場合でも、電子機器で暖められた空気と空調機が冷却した空気とは混ざり合わない。また、電子機器の両脇のサイド仕切板により電子機器の周りの空間も冷たい空気が滞留する空間と暖かい空気が滞留する区間とは区分けされている。このため、ラック全体において、コールドエリアとホットエリアとが確実に分離されている。これにより、ラック装置を小型化しつつ冷却効果を向上することができる。
【００４６】
（変形例）
以上では、水漏れ対策やメンテナンスの容易性のため、空調機２を筐体１の下部空間１４に配置したが、空調機２は上部空間１３に配置してもよい。上部空間１３に空調機２を配置した場合にも、空調機２の排気口が存在する空間と吸気口が存在する空間とを区分けする遮蔽板１１を上部空間１３に配置することが好ましい。このように、空調機２を上部空間１３に配置した場合、暖かい空気を上に上げ冷たい空気を下に下ろす事になるので、冷却効率をさらに向上させることができる。すなわち、空調機２を上部空間１３又は下部空間１４のいずれに配置するかは、水漏れ対策、メンテナンスの容易性、冷却効率などのうちいずれを利用者が重要視するかによって決定されることが好ましい。
【００４７】
また、本実施例では、空調機２は、下部空間１４の後方に配置したが、これに限らず、下部空間１４の前方に配置してもよい。ただし、冷却された空気を排気口から排出するスペースは排気口の位置及び空気の排出方向にあわせて適宜設定されることが好ましい。また、冷たい空気を上部空間に送る風量を考慮した場合、ある程度のスペースを空けておいたほうが好ましい。
【００４８】
また、本実施例では、空調機２として壁に垂直に取り付けるタイプの室内機を例に説明したが、これに限らず、例えば壁に対して斜めに取り付けるタイプの室内機を用いてもよい。斜めに取り付けるタイプの場合、ラック装置の構造によっては、ラック装置を小型化することができる。
【符号の説明】
【００４９】
１  筐体
２  空調機
３  電子機器
１０  仕切板
１１  遮蔽板
１２  サイド仕切板
１３  上部空間
１４  下部空間
２１  排気口
２２  吸気口
１０１  排気開口
１０２  排気開口
１０３  吸気開口
【図１】
2013228823.tif 000003
【図２】
2013228823.tif 000004
【図３】
2013228823.tif 000005
【図４】
2013228823.tif 000006
【図５】
2013228823.tif 000007
【図６】
2013228823.tif 000008
【図７】
2013228823.tif 000009
【図８】
2013228823.tif 000010
【図９】
2013228823.tif 000011
【図１０】
2013228823.tif 000012